【手続補正書】
【提出日】平成19年8月3日(2007.8.3)
【手続補正１】
【補正対象書類名】明細書
【補正対象項目名】特許請求の範囲
【補正方法】変更
【補正の内容】
【特許請求の範囲】
【請求項１】
無線システム内の順方向リンク信号の電力レベルを決定する方法において、
（ａ）上記信号の複数の電力指示信号特性を決定するステップと、
（ｂ）上記電力指示信号特性を用いて、継続時間が少なくともひとつの電力指示信号特性が変化できる期間より短いか、あるいはそれと等しい測定期間中に上記信号のパワー・レベルを決定するステップ
とからなる方法。
【請求項２】
無線システム内の基地局によって送信される一組の順方向リンク信号の電力レベルを決定する方法において、
（ａ）上記一組の順方向リンク信号の各信号の複数の電力指示信号特性を決定するステップと、
（ｂ）上記電力指示信号特性を用いて、継続時間が少なくともひとつの電力指示信号特性が変化できる期間より短いか、あるいはそれと等しい測定期間中に上記各信号の電力レベルを決定するステップと、
（ｃ）上記各信号の電力レベルを用いて、上記測定期間中に上記一組の順方向リンク信号の電力レベルを決定するステップ
とからなる方法。
【請求項３】
上記測定期間の継続時間がいずれかの電力指示信号特性が変化できる期間より短いか、あるいはそれと等しい請求項１又は２記載の方法。
【請求項４】
上記一組の順方向リンク信号内の各信号の電力レベルを決定する前記ステップが、チャンネル番号制御装置において、
（ｂ１）１つの信号の個別電力制御（２５０、２５５）によって決定される前記１つの信号の情報速度と前記１つの信号のゲインとを得るステップと、
（ｂ２）前記１つの信号の情報速度とその信号のゲインの平方とを掛けて前記１つの信号の電力レベルを得るステップと、
（ｂ３）各信号の上記電力レベル信号をマスター制御装置（２０２）に送るステップと、
とからなり、上記一組の順方向リンク信号の電力レベルを決定する前記ステップが、マスター制御装置（２０２）における各信号の電力レベルを合計するステップを含んでいる請求項２記載の方法。
【請求項５】
各信号の電力レベルを決定する前記ステップが、マスター制御装置（４０２）において、
（ｂ４）１つの信号の個別電力制御によって決定される上記１つの信号の情報速度と上記１つの信号のゲインとを得るステップと、
（ｂ５）上記１つの信号の情報速度とその信号のゲインの平方とを掛け合わせてその信号の電力レベルを得るステップ
とからなる請求項２記載の方法。
【請求項６】
上記電力指示信号特性が信号の情報速度を含んでいる請求項１又は２記載の方法。
【請求項７】
上記電力指示信号特性が信号の個別電力制御によって決定された信号のゲインを含んでいる請求項１又は２記載の方法。
【請求項８】
上記電力指示信号特性が、信号に含まれた情報が制御情報であるかどうかについての情報を含んでいる請求項１又は２記載の方法。
【請求項９】
上記電力指示信号特性が、通話が設定されているかどうかについての情報を含んでいる請求項１又は２の方法。
【請求項１０】
上記電力指示信号特性が、通話がソフト−ハンドオフ状態であるかどうかを示す情報を含んでいる請求項１又は２記載の方法。
【請求項１１】
上記一組の順方向信号が上記基地局がその内部に配置されているセルのセクター内のすべての信号を含んでいる請求項２記載の方法。
【請求項１２】
上記一組の順方向信号が上記基地局の増幅器で増幅されるすべての信号を含んでいる請求項２記載の方法。
【請求項１３】
上記一組の順方向信号が複数のトラフィック信号を含んでいる請求項２記載の方法。
【請求項１４】
上記一組の順方向信号が複数のトラフィック信号と少なくとも１つの制御信号を含んでいる請求項２記載の方法。
【請求項１５】
上記測定期間がフレームを含んでいる請求項１又は２記載の方法。
【請求項１６】
上記測定期間が電力制御グループを含んでいる請求項１又は２記載の方法。
【手続補正２】
【補正対象書類名】明細書
【補正対象項目名】０００４
【補正方法】変更
【補正の内容】
【０００４】
【発明が解決しようとする課題】
ＣＤＭＡシステムで通話が設定されると、基地局と移動端末は前方（順方向）リンク及び逆方向リンクを通じて交信する。前方リンクは基地局から移動端末に信号を送信するための通信チャンネルを含んでおり、逆方向リンクの方は上記移動端末から基地局に対して信号を送信するための通信チャンネルを含んでいる。基地局はここでは前方リンク・チャンネルと呼ばれ、先行技術では前方間接チャンネルとして知られている通信チャンネルを通じて移動端末に対して一定のタイプの制御情報を送信する。前方リンク制御チャンネルはパイロット、ページング、及び同期化チャンネルを有している。この基地局は音声又はデータ、あるいはある種の制御情報をここでは前方リンク・トラフィック・チャンネルと呼ばれる通信チャンネルを通じて送信する。通信チャンネル上の信号はここではフレームと呼ばれる期間に組織化されている。フレームは一般的には２０ミリ秒の長さである。制御チャンネルを通じて送信される信号はここでは制御信号と呼ばれ、トラフィック・チャンネルを通じて送られる信号はここではトラフィック・チャンネルと呼ばれる。
【手続補正３】
【補正対象書類名】明細書
【補正対象項目名】０００９
【補正方法】変更
【補正の内容】
【０００９】
個別電源制御の場合、基地局１１２はその基地局と交信している他の移動端末の前方（順方向）リンク信号の電力レベルとは無関係な各移動端末に対する前方リンクの電力レベルを判定する。各移動端末は送信された信号を受信して、その移動端末にあてられた前方リンク信号を入手する。移動端末１２２がトラフィック信号を受信した場合は、ＩＳ−９５標準に合致したＣＤＭＡシステムにおいては、移動端末１２２は受信された前方リンク・トラフィック・フレームがエラーかどうかを判定する。移動端末１２２が送信する後の逆方向リンク・トラフィック・フレームにおいて、移動端末１２２はエラーかどうかを基地局１１２に知らせる。ＣＤＭＡ２０００システムで、移動端末１２２は、通常はその前方リンク・トラフィック信号の信号対ノイズ比率をチェックすることで、受信された前方リンク・トラフィック信号がシステム内のノイズを克服するのに十分な信号強度を持っているかどうかを判定する。移動端末１２２はその後、前方リンク・トラフィック信号強度が十分かどうかを基地局１１２に示す。
【手続補正４】
【補正対象書類名】明細書
【補正対象項目名】００１３
【補正方法】変更
【補正の内容】
【００１３】
マスター制御装置１３０はチャンネル・ユニット１４０及び１４２から各信号の電力レベルを得ることで、集合電力レベルを知る。チャンネル・ユニット１４０及び１４２は各信号のゲインと情報量を用いてその信号の電力レベルを得る。各チャンネル・ユニット１４０及び１４２はその制御下にある各チャンネル要素からその信号のゲイン及び情報量を受け取る。チャンネル・ユニット１４０及び１４２は、１）そのチャンネル要素に対応する信号のゲインに変化があるか、あるいは２）一定時間、例えば１秒間、ゲインに変化があった場合に、そのゲイン及び情報量を受け取る。情報量とは１秒あたりに送信される情報のビット数であるフル・レート、１／２レート、１／４レート及び１／８レートの４つのことなった情報量（情報速度）があり得る。大量の情報が基地局から移動端末に送られる時に情報量はフル・レートであり、少量の情報が基地局から移動端末に送信されている時は１／８レートである。１／２及び１／４レートは過渡的なレートである。前方リンクでは、情報量が１／２、１／４または１／８の場合、各フレーム内で送信されている音声及びデータ・ビットの設定数であるチャンネル量は情報量より高く、その情報は１フレームあたり数回反復される。